(57)【要約】【課題】搭乗者の体調状態に対応した運転制御を行うことにより、車両の搭乗者に不快感を与えずに快適に乗車できる自動運転車両を提供すること。【解決手段】  予め設定された走行計画に従って自動運転走行可能な自動運転車両１であって、車両の搭乗者の体調を検出し、その搭乗者が眠い場合には所定の条件下で睡眠を許可して睡眠状態で自動運転制御を実行する。これにより、車両の搭乗者の体調に応じた運転制御が行われ、搭乗者に不快感を与えることなく運転制御が行える。【選択図】  図１
2008120271.tif 000002
【特許請求の範囲】
【請求項１】
予め設定された走行計画に従って自動運転走行可能な自動運転車両であって、
車両の搭乗者の体調を検出する体調検出手段と、
前記搭乗者の体調に応じた自動運転制御を行う運転制御手段と、
を備えた自動運転車両。
【請求項２】
前記体調検出手段は、前記搭乗者が自動運転制御中に覚醒状態であるか睡眠状態であるかを検出し、
前記運転制御手段は、前記搭乗者の覚醒状態、睡眠状態に応じた運転制御を行うこと、
を特徴とする請求項１に記載の自動運転車両。
【請求項３】
前記運転制御手段は、前記体調検出手段により前記搭乗者が睡眠状態であると検出された場合に、覚醒状態時と比べて車両挙動上限値を高めて運転制御を行うこと、
を特徴とする請求項２に記載の自動運転車両。
【請求項４】
前記運転制御手段は、前記体調検出手段により前記搭乗者が睡眠状態であると検出された場合に、覚醒状態時と比べて先行車両との車間距離を短くして運転制御を行うこと、
を特徴とする請求項２に記載の自動運転車両。
【請求項５】
前記体調検出手段は、前記搭乗者が睡眠状態である場合にその睡眠状態がレム睡眠状態か否かを判断し、
前記運転制御手段は、前記搭乗者の睡眠状態がレム睡眠状態であって自動運転継続可能時間がレム睡眠周期時間より短い場合に、前記搭乗者の覚醒を促すように運転制御を行うこと、
を特徴とする請求項２に記載の自動運転車両。
【請求項６】
前記体調検出手段は、前記搭乗者が睡眠状態である場合にその睡眠状態がレム睡眠状態か否かを判断し、
前記運転制御手段は、前記搭乗者の睡眠状態がレム睡眠状態でなく自動運転継続可能時間がレム睡眠周期時間より短い場合に、自動運転継続可能時間がより長くなるように運転制御を行うこと、
を特徴とする請求項２に記載の自動運転車両。
【請求項７】
前記運転制御手段は、前記搭乗者の睡眠状態がレム睡眠状態でなく自動運転継続可能時間がレム睡眠周期時間より短い場合に、自動運転継続可能時間がレム睡眠周期時間以上となるように運転制御を行うこと、
を特徴とする請求項６に記載の自動運転車両。
【請求項８】
前記運転制御手段は、前記体調検出手段により前記搭乗者が自動運転制御中に睡眠状態であると検出され、かつ前記搭乗者の覚醒が必要となった場合に、そうでない場合と比べて車両のレーンチェンジが増えるように運転制御を行うこと、
を特徴とする請求項２に記載の自動運転車両。
【請求項９】
前記運転制御手段は、前記体調検出手段により前記搭乗者が自動運転制御中に睡眠状態であると検出され、かつ前記搭乗者の覚醒が必要となった場合に、そうでない場合と比べて車両のレーンチェンジが増えるように運転制御目標値を設定して運転制御を行うこと、
を特徴とする請求項８に記載の自動運転車両。
【請求項１０】
前記体調検出手段は、前記搭乗者の車酔い状態を検出し、
前記運転制御手段は、前記搭乗者の車酔い状態に応じた運転制御を行うこと、
を特徴とする請求項１に記載の自動運転車両。
【請求項１１】
前記運転制御手段は、前記体調検出手段により前記搭乗者の車酔いが検出された場合に、前記搭乗者の車酔いを低減させる運転制御目標値を設定して運転制御を行うこと、
を特徴とする請求項１０に記載の自動運転車両。
【請求項１２】
搭乗者が車酔いを起こした際の車両状態に基づいて車酔い状態と車両状態との相関関係を学習する車酔い学習手段を備え、
前記運転制御手段は、前記車酔い学習手段により取得された車酔い状態と車両状態との相関関係に基づいて前記搭乗者の車酔いを低減させる運転制御目標値を設定して運転制御を行うこと、
を特徴とする請求項１０に記載の自動運転車両。
【請求項１３】
前記運転制御手段は、前記体調検出手段により前記搭乗者の車酔いが検出された場合に、前記搭乗者の睡眠を促すように運転制御を行うこと、
を特徴とする請求項１１に記載の自動運転車両。
【発明の詳細な説明】
【技術分野】
【０００１】
本発明は、自動運転を行う自動運転車両に関するものである。
【背景技術】
【０００２】
従来、自動運転を行う自動運転車両としては、例えば特開２００４−１８２１４９号公報に記載されるように、車両の前方に障害物を検出した場合に自動制動によって車両の走行を制御するものが知られている。また、先行車両に追従して自動走行を行う自動運転車両が提案されている。
【特許文献１】特開２００４−１８２１４９号公報
【発明の開示】
【発明が解決しようとする課題】
【０００３】
このような自動運転車両において、自動運転制御が行われている場合には運転者に睡眠を許容することが考えられる。例えば、自動運転制御が行われている場合に運転者が睡眠をとることにより、自動運転制御の終了後に手動運転する際、快適に運転操作が行えることとなる。その際、睡眠状態の運転者を突然起こすと、不快な目覚めとなり、快適な運転が行えない。また、自動運転制御中において、車両の搭乗者が車酔いしないように運転制御することが望ましい。
【０００４】
そこで本発明は、このような技術課題を解決するためになされたものであって、搭乗者の体調状態に対応した運転制御を行うことにより、車両の搭乗者に不快感を与えずに快適に乗車できる自動運転車両を提供することを目的とする。
【課題を解決するための手段】
【０００５】
すなわち本発明に係る自動運転車両は、予め設定された走行計画に従って自動運転走行可能な自動運転車両であって、車両の搭乗者の体調を検出する体調検出手段と、前記搭乗者の体調に応じた自動運転制御を行う運転制御手段とを備えて構成されている。
【０００６】
この発明によれば、車両の搭乗者の体調に応じた運転制御を行うことにより、搭乗者に不快感を与えることなく運転制御が行える。
【０００７】
また本発明に係る自動運転車両において、前記体調検出手段は、前記搭乗者が自動運転制御中に覚醒状態であるか睡眠状態であるかを検出し、前記運転制御手段は、前記搭乗者の覚醒状態、睡眠状態に応じた運転制御を行うことが好ましい。
【０００８】
この発明よれば、搭乗者の覚醒状態、睡眠状態に応じた車両運転が行われることにより、搭乗者に不快感を与えることなく、自動運転のメリットを享受することができる。
【０００９】
また本発明に係る自動運転車両において、前記運転制御手段は、前記体調検出手段により前記搭乗者が睡眠状態であると検出された場合に、覚醒状態時と比べて車両挙動上限値を高めて運転制御を行うことが好ましい。
【００１０】
この発明によれば、搭乗者が睡眠状態である場合に覚醒状態時と比べて車両挙動上限値を高めて運転制御を行うことにより、睡眠状態の搭乗者に不快感を与えることなく、車速を上げて自動運転することができる。
【００１１】
また本発明に係る自動運転車両において、前記運転制御手段は、前記体調検出手段により前記搭乗者が睡眠状態であると検出された場合に、覚醒状態時と比べて先行車両との車間距離を短くして運転制御を行うことが好ましい。
【００１２】
この発明によれば、搭乗者が睡眠状態である場合に覚醒状態時と比べて車間距離を短くして運転制御を行うことにより、搭乗者が寝ているので圧迫感を受けることなく、走行の空気抵抗を小さくして燃費向上を図ることができる。
【００１３】
また本発明に係る自動運転車両において、前記体調検出手段は、前記搭乗者が睡眠状態である場合にその睡眠状態がレム睡眠状態か否かを判断し、前記運転制御手段は、前記搭乗者の睡眠状態がレム睡眠状態であって自動運転継続可能時間がレム睡眠周期時間より短い場合に、前記搭乗者の覚醒を促すように運転制御を行うことが好ましい。
【００１４】
この発明よれば、レム睡眠状態の時に搭乗者の覚醒を促すように運転制御を行うことにより、レム睡眠状態で搭乗者を起こし快適に目覚めさせることができる。このため、自動運転から手動運転に切り替わった際に快適な状態で運転操作することができる。
【００１５】
また本発明に係る自動運転車両において、前記体調検出手段は、前記搭乗者が睡眠状態である場合にその睡眠状態がレム睡眠状態か否かを判断し、前記運転制御手段は、前記搭乗者の睡眠状態がレム睡眠状態でなく自動運転継続可能時間がレム睡眠周期時間より短い場合に、自動運転継続可能時間がより長くなるように運転制御を行うことが好ましい。
【００１６】
この発明よれば、自動運転継続可能時間がより長くなるように運転制御を行うことにより、自動運転継続可能時間をレム睡眠周期時間以上として、搭乗者をレム睡眠状態で起こし快適に目覚めさせることが可能となる。これにより、自動運転から手動運転に切り替わった際に快適な状態で運転操作することができる。
【００１７】
また本発明に係る自動運転車両において、前記運転制御手段は、前記搭乗者の睡眠状態がレム睡眠状態でなく自動運転継続可能時間がレム睡眠周期時間より短い場合に、自動運転継続可能時間がレム睡眠周期時間以上となるように運転制御を行うことが好ましい。
【００１８】
この発明よれば、自動運転継続可能時間がレム睡眠周期時間以上となるように運転制御を行うことにより、搭乗者をレム睡眠状態で起こし快適に目覚めさせることが可能となる。これにより、自動運転から手動運転に切り替わった際に快適な状態で運転操作することができる。
【００１９】
また本発明に係る自動運転車両において、前記運転制御手段は、前記体調検出手段により前記搭乗者が自動運転制御中に睡眠状態であると検出され、かつ前記搭乗者の覚醒が必要となった場合に、そうでない場合と比べて車両のレーンチェンジが増えるように運転制御を行うことが好ましい。その際、前記運転制御手段は、前記体調検出手段により前記搭乗者が自動運転制御中に睡眠状態であると検出され、かつ前記搭乗者の覚醒が必要となった場合に、そうでない場合と比べて車両のレーンチェンジが増えるように運転制御目標値を設定して運転制御を行うことが好適である。
【００２０】
この発明によれば、搭乗者の覚醒が必要となった場合に車両のレーンチェンジが増えるように運転制御を行うことにより、走行行為により搭乗者の覚醒を促すことができ、違和感を与えることなく目覚めさせることができる。このため、シート振動などの覚醒技術と比べてシームレスな刺激によって快適に目覚めさせることができる。
【００２１】
また本発明に係る自動運転車両において、前記体調検出手段は、前記搭乗者の車酔い状態を検出し、前記運転制御手段は、前記搭乗者の車酔い状態に応じた運転制御を行うことが好ましい。
【００２２】
この発明よれば、搭乗者の車酔い状態に応じた車両運転が行われることにより、搭乗者の車酔いの低減、防止が行える。
【００２３】
また本発明に係る自動運転車両において、前記運転制御手段は、前記体調検出手段により前記搭乗者の車酔いが検出された場合に、前記搭乗者の車酔いを低減させる運転制御目標値を設定して運転制御を行うことが好ましい。
【００２４】
この発明よれば、搭乗者の車酔いを低減させる運転制御目標値を設定して運転制御を行うことにより、搭乗者の車酔いを低減させることができる。
【００２５】
また本発明に係る自動運転車両において、搭乗者が車酔いを起こした際の車両状態に基づいて車酔い状態と車両状態との相関関係を学習する車酔い学習手段を備え、前記運転制御手段は、前記車酔い学習手段により取得された車酔い状態と車両状態との相関関係に基づいて前記搭乗者の車酔いを低減させる運転制御目標値を設定して運転制御を行うことが好ましい。
【００２６】
この発明によれば、車酔い状態と車両状態との相関関係を学習し、その相関関係に基づいて搭乗者の車酔いを低減させる運転制御目標値を設定して運転制御を行うことにより、搭乗者の車酔いを起こしにくい運転制御が行える。
【００２７】
また本発明に係る自動運転車両において、前記運転制御手段は、前記体調検出手段により前記搭乗者の車酔いが検出された場合に、前記搭乗者の睡眠を促すように運転制御を行うことが好ましい。
【００２８】
この発明よれば、搭乗者の車酔いが検出された場合に搭乗者の睡眠を促すように運転制御を行うことにより、搭乗者を眠らせて車酔いを解消させることができる。
【発明の効果】
【００２９】
本発明によれば、搭乗者の体調状態に対応した運転制御を行うことにより、車両の搭乗者に不快感を与えずに快適に乗車できる。
【発明を実施するための最良の形態】
【００３０】
以下、添付図面を参照して本発明の実施形態について説明する。なお、図面の説明において同一の要素には同一の符号を付し、重複する説明を省略する。
【００３１】
図１は、本発明の実施形態に係る自動運転車両の構成概要図である。図２は、本実施形態に係る自動運転車両の走行状態の説明図である。
【００３２】
図１に示すように、本実施形態に係る自動運転車両１は、運転者の運転操作なしに予め設定された走行計画に従って自動運転走行可能な車両であり、例えば目標速度パターン及び目標走行軌跡を生成し、自動運転制御中にその目標速度パターン及び目標走行軌跡に従い加減速制御及び操舵制御が実行され車両走行が行われる。目標速度パターンは、時刻に応じて目標車両位置又は目標車速を設定したパターンであり、目標位置パターンとして設定してもよい。
【００３３】
この目標速度パターンは、車両情報、道路情報などに基づいて設定される。車両情報としては、例えば、車両加速性能、車両減速性能、車重、許容最大加速度、許容最大減速度、許容最大ジャーク、最高速度、最大横加速度、最大ハンドル角速度、最小定常速度、最小定常加速度、最小定常ジャーク、加減速時の加減速変化回数、緊急ブレーキ性能、故障判定時間、速度制御誤差情報、位置制御誤差情報が用いられる。
【００３４】
道路情報は、目標速度パターンを生成するために用いられる外部環境情報であり、例えば、道路勾配、道路カーブＲが用いられる。目標走行軌跡は、地図上の車両の目標走行経路及び走行レーン内における走行軌跡を設定したものである。
【００３５】
この自動運転車両１は、自動運転制御による走行と運転者の手動運転による走行を切り替え可能とすることが好ましい。例えば、自動車専用道路や高速道路などでは自動運転制御を実行し、それらの道路以外では自動運転制御を実行せず運転者の手動運転が行われる。自動運転制御と手動運転との切り替えは、車両に設置される運転モード切替スイッチの操作によって切り替えてもよいし、走行する道路を認識し道路の種類によって自動的に自動運転モードと手動運転モードを切り替えるなどしてもよい。
【００３６】
また、図２に示すように、自動運転車両１は、先行する車両Ａに追従して隊列を組み、自動運転制御を実行するものに適用することが好ましい。例えば、車々間通信により他車と現在の車両位置及び車速、目標速度パターン、目標走行軌跡などを通信し、適合する他車と車群を組んで走行する。この場合、隊列走行する車両の車間を短くすることが望ましい。車間距離を短くすることにより、隊列への他車の割り込みを防止でき走行安全性を向上させることができる。また、後方走行車の走行空気抵抗を低減でき、燃費の低減が図れる。
【００３７】
図１に示すように、自動運転車両１は、ＥＣＵ（ElectronicControl Unit）１０を備えている。ＥＣＵ１０は、自動運転車両１に搭載され、自動運転制御を行う電子制御ユニットであり、例えばＣＰＵ、ＲＯＭ、ＲＡＭを含むコンピュータを主体として構成されている。
【００３８】
このＥＣＵ１０は、目標速度パターンを随時生成する目標速度パターン生成手段と機能するものである。また、他車と隊列して走行する場合には、自車の目標速度パターン及び他車の目標速度パターンに基づいて隊列走行速度パターンを随時生成する隊列走行速度パターン生成手段としても機能する。さらに、生成した隊列走行速度パターンに応じて自車の走行制御を行う走行制御手段として機能する。また、ＥＣＵ１０は、睡眠状態、車酔い状態などの車両搭乗者の体調に応じた自動運転制御を行う運転制御手段として機能する。
【００３９】
自動運転車両１は、通常の車両と同様に、車輪、サスペンションなどの走行機構を備え、駆動源となるエンジン（内燃機関）３０、各車輪に制動力を与えるブレーキ装置３４を備えている。エンジン３０の動力は、図示しない変速機、動力伝達機構などを通じて走行駆動力が駆動輪へ伝達される。また、自動運転車両１には、エンジン３０の駆動力を調節するための手段としてスロットルバルブの開度を調節するスロットルアクチュエータ３２が設けられている。スロットアクチュエータ３２は、ＥＣＵ１０から出力される制御信号に従って作動する。その際、ＥＣＵ１０は、車両の加減速制御手段として機能する。
【００４０】
自動運転車両１には、ブレーキ装置３４の制動力を調節するための手段として、ブレーキ装置３４に供給される油圧を調節するブレーキアクチュエータ３６が設けられている。ブレーキアクチュエータ３６は、ＥＣＵ１０から出力される制御信号に従って作動する。その際、ＥＣＵ１０は、車両の加減速制御手段として機能する。
【００４１】
なお、駆動源であるエンジン３０に代えてモータを用いてもよいし、エンジン３０とモータを併用してもよい。
【００４２】
また、自動運転車両１には、車輪の回転を検出する車輪速センサ４１、電波受信によって車両位置を検出するＧＰＳ（Global PositioningSystem）装置４０が設けられている。車輪速センサ４１は、車速検出手段として機能するものであり、例えば電磁ピックアップ式のものが用いられる。ＧＰＳ装置４０は、衛星から発信された電波を受信し、その電波情報に基づいて現在位置を検出するものであり、車両の位置検出手段として機能する。この位置検出手段としては、ＧＰＳ装置４０に代えてその他の装置を用いてもよい。例えば、路面に沿って一定間隔で埋設された磁気マーカを検出する磁気センサを用いてもよい。
【００４３】
自動運転車両１には、操舵モータ４４が設けられている。操舵モータ４４は、車両の操舵力伝達機構に対し操舵力を与え自動操舵を行うものであり、操舵制御機構として機能する。操舵モータ４４は、例えば、ステアリングシャフトなどの操舵力伝達機構に取り付けられ、ギヤ機構などを通じて操舵力を付与する。この操舵モータ４４は、ＥＣＵ１０から出力される制御信号に従って作動する。この操舵モータ４４としては、電動パワーステアリングステアリングシステムに用いられるアシストモータを利用することが好ましい。
【００４４】
自動運転車両１には、路車間通信部４２が設けられている。路車間通信部４２は、路面に埋設されたループアンテナ９１と通信を行い、交通情報などを通信するものであり、例えば電波を情報伝達媒体として通信を行う通信機が用いられる。路面内のループアンテナ９１は、インフラ設備として設けられる路車間通信器９０に接続されている。
【００４５】
自動運転車両１には、車々間通信部４３が設けられている。車々間通信部４３は、他車との通信を行う車々間通信手段であり、車両の現在位置、目標速度パターン、制御目標位置などの車両情報を互いに通信する。
【００４６】
自動運転車両１には、生体センサ４５が設けられている。生体センサ４５は、運転者の睡眠状態を検出するセンサであり、例えばハンドルに取り付けられる心電図検出センサが用いられる。この場合、運転者の心電図に基づいて睡眠状態であるか否かが検出される。
【００４７】
また、生体センサ４５として、運転者を撮像する撮像カメラを併用してもよい。この場合、運転者の撮像画像に基づき運転者が目を閉じているかどうかを認識でき、運転者が所定時間以上連続して目を閉じているか否かによって睡眠状態であるか否かを判断することができる。さらに、生体センサ４５として、脳波検出センサを用いる場合もある。この場合、運転者の脳波に基づいて運転者が睡眠状態であるか否かを判断することができる。
【００４８】
次に、本実施形態に係る自動運転車両１における自動運転制御について説明する。
【００４９】
自動運転車両１の自動運転制御は、例えば運転者による自動運転スイッチの操作や車両が自動運転区域に入ったことなどにより開始される。自動運転制御は、運転者の運転操作なしに予め設定された目標速度パターン及び目標走行軌跡に基づいてＥＣＵ１０からの制御信号に従ってエンジン駆動、ブレーキ作動、ハンドル操舵が行われる。自動運転制御中においては、運転者の体調状態が検出され、その体調に応じた自動運転制御が実行される。
【００５０】
図３は、本実施形態に係る自動運転車両１における睡眠自動走行制御処理のフローチャートである。
【００５１】
この睡眠自動走行制御処理は、自動運転制御中に実行される処理であり、運転者の睡眠状態に応じた運転制御を行うものである。この睡眠自動走行制御処理は、例えばＥＣＵ１０により所定の周期で繰り返し実行される。
【００５２】
まず、図３のＳ１０に示すように、睡眠状態の検出処理が行われる。睡眠状態の検出処理は、運転者の睡眠状態を検出する処理であり、例えば運転者が睡眠状態であるかどうかが検出され、睡眠状態である場合にはその睡眠レベルが検出される。睡眠状態は、生体センサ４５の出力信号に基づいて検出される。例えば、睡眠状態である否かは、運転者の心電図の状態、脳波の状態又は撮像映像の閉眼状態などに基づいて判断される。また、睡眠レベルは、運転者の脳波の状態や睡眠状態となったときからの経過時間などにより判断される。睡眠状態となったときから、一定周期で浅い眠りのレム睡眠と深い眠りのノンレム睡眠を繰り返すため、睡眠経過時間から睡眠レベル（例えば、レム睡眠、睡眠レベル１〜４）を推定することができる。
【００５３】
そして、Ｓ１２に移行し、運転者が覚醒状態であるか否かが判断される。この判断は、Ｓ１０の睡眠状態検出処理の処理結果に基づいて行われ、Ｓ１０にて運転者が睡眠状態でないと判断された場合には運転者が覚醒状態であると判断される。一方、Ｓ１０にて運転者が睡眠状態であると判断された場合には、Ｓ１２では運転者が覚醒状態でないと判断される。
【００５４】
Ｓ１２にて運転者が覚醒状態であると判断された場合には、睡眠自動走行制御処理を終了する。一方、Ｓ１２にて運転者が覚醒状態でないと判断された場合には、レム睡眠状態であるか否かが判断される（Ｓ１４）。レム睡眠状態でないと判断された場合には、Ｓ１８に移行する。
【００５５】
一方、Ｓ１４にてレム睡眠状態であると判断された場合には、自動運転継続可能時間Ｔ１がレム睡眠周期時間Ｔ０より短いか否かが判断される（Ｓ１６）。自動運転継続可能時間Ｔ１は、自動運転制御によって継続して走行できる時間であり、例えば自動運転区間の残り距離と平均車速から演算される。レム睡眠周期時間Ｔ０は、予めＥＣＵ１０に設定される時間であり、例えば９０分として設定される。
【００５６】
Ｓ１６にて自動運転継続可能時間Ｔ１がレム睡眠周期時間Ｔ０より短いと判断された場合には、覚醒処理が行われる（Ｓ２０）。覚醒処理は、運転者を覚醒状態とする処理であり、例えば車両のレーンチェンジの回数を増やすなど運転者の覚醒を促すように運転制御を実行する。覚醒処理の詳細については後述する。Ｓ２０の覚醒処理を終えたら、Ｓ２４に移行する。
【００５７】
一方、Ｓ１６にて自動運転継続可能時間Ｔ１がレム睡眠周期時間Ｔ０より短くないと判断された場合には、睡眠レベルに応じた走行可能時間Ｔ２が演算される（Ｓ１８）。睡眠レベルに応じた走行可能時間Ｔ２は、予めＥＣＵ１０に設定されたマップを用いて演算される。例えば、眠りが浅い順に睡眠レベルがレム睡眠、睡眠レベル１、睡眠レベル２、睡眠レベル３、睡眠レベル４と設定されている場合、レム睡眠は３分、睡眠レベル１は５分、睡眠レベル２は１０分、睡眠レベル３は１５分、睡眠レベル４は２０分というように睡眠レベルに対応して走行可能時間Ｔ２がマップとして設定される。このマップにより運転者の睡眠状態に応じて走行可能時間Ｔ２が演算される。
【００５８】
そして、Ｓ２２に移行し、自動運転継続可能時間Ｔ１が睡眠レベルに応じた走行可能時間Ｔ２より短いか否かが判断される。Ｓ２２にて自動運転継続可能時間Ｔ１が睡眠レベルに応じた走行可能時間Ｔ２より短いと判断された場合には、Ｓ２０に移行する。一方、Ｓ２２にて自動運転継続可能時間Ｔ１が睡眠レベルに応じた走行可能時間Ｔ２より短くないと判断された場合には、追従走行中であるか否かが判断される（Ｓ２４）。
【００５９】
すなわち、Ｓ２４では先行車両に追従走行制御を実行中であるか否かが判断される。Ｓ２４にて先行車両に追従走行制御を実行中でない場合には、Ｓ２８に移行する。一方、Ｓ２４にて先行車両に追従走行制御を実行中である場合には、大型車優先追従制御処理が行われる。大型車優先追従制御処理は、トラック、バスなどの大型車に優先して追従走行を行う処理である。例えば、先行する車両の中に大型車がある場合には、その大型車を先行車両として追従走行制御を行う。また、大型車でない車両を先行車両として追従走行制御している場合、先行車両となり得る大型車が現れた場合には、先行車両を大型車に替えて追従走行制御を行う。
【００６０】
そして、Ｓ２８に移行し、車両挙動上限値設定処理が行われる。車両挙動上限値設定処理は、自動運転制御における車両挙動上限値を運転者の覚醒状態時と比べて高く設定する処理である。例えば、車両の加減速上限値、横加速度上限値が覚醒状態時と比べて高く設定される。
【００６１】
そして、この車両挙動上限値に応じて目標速度パターン及び目標走行軌跡の生成が行われ（Ｓ３０、Ｓ３２）、それらの目標速度パターン及び目標走行軌跡に従った自動運転制御が実行される（Ｓ３４）。Ｓ３４の自動運転制御処理を終えたら、睡眠自動走行制御処理の一連の制御処理を終了する。
【００６２】
この睡眠自動走行制御処理によれば、運転者が睡眠状態である場合にその睡眠状態がレム睡眠状態か否かを判断し、運転者の睡眠状態がレム睡眠状態であって自動運転継続可能時間Ｔ１がレム睡眠周期時間Ｔ０より短い場合に、運転者の覚醒を促すように運転制御を行う。これにより、レム睡眠状態で搭乗者を起こし快適に目覚めさせることができる。このため、自動運転から手動運転に切り替わった際に快適な状態で運転操作することができる。
【００６３】
また、睡眠自動走行制御処理において、運転者の睡眠状態がレム睡眠状態でなく自動運転継続可能時間Ｔ１がレム睡眠周期時間Ｔ０より短い場合に、自動運転継続可能時間Ｔ１がより長くなるように運転制御を行うことが好ましい。例えば、目標速度パターンを変更して平均車速を下げるなどして自動運転継続可能時間Ｔ１がレム睡眠周期時間Ｔ０以上となるように運転制御を行う。これにより、自動運転制御中に運転者の睡眠状態がレム睡眠となり、運転者をレム睡眠状態で起こすことができる。このため、運転者を快適に目覚めさせて、自動運転から手動運転に切り替わった際に快適な状態で運転操作させることができる。
【００６４】
睡眠自動走行制御処理によれば、運転者が睡眠状態であると検出された場合に覚醒状態時と比べて車両挙動上限値を高めて運転制御を行うことにより、睡眠状態の運転者に不快感を与えることなく、車速を上げて自動運転することができる。このため、目的地へ早く到達することができる。
【００６５】
また、睡眠自動走行制御処理によれば、運転者が睡眠状態であって車両が追従走行制御中である場合に大型車を優先して追従することにより、睡眠によって運転者が圧迫感を受けることなく、走行の空気抵抗を小さくして燃費向上を図ることができる。
【００６６】
その際、覚醒状態時と比べて先行車両との車間距離を短くして運転制御を行うことが好ましい。これにより、走行空気抵抗をより小さくすることができ、燃費向上を図ることができる。
【００６７】
図４は、本実施形態に係る自動運転車両１における覚醒処理のフローチャートである。
【００６８】
この覚醒処理は、自動運転制御中に実行される処理であり、図３のＳ２０のように睡眠状態である運転者を覚醒状態とする場合などに実行される処理である。
【００６９】
まず、図４のＳ４０に示すように、車両が走行する道路に所定以上の長い直線区域があるか否かが判断される。例えば、ＥＣＵ１０に予め記憶される地図情報、自車の位置情報及び走行方向情報に基づいて、自車が走行する前方の道路に所定以上の長い直線区間があるか否かが判断される。
【００７０】
Ｓ４０にて車両が走行する道路に所定以上の長い直線区域があると判断された場合には、レーンチェンジ増加処理が行われる（Ｓ４４）。レーンチェンジ増加処理は、車両の車線変更の頻度を通常制御時より増加させる処理であり、車両の運転制御によって睡眠状態の運転者を覚醒させるために実行される。例えば、覚醒処理が必要でない場合と比べて車両のレーンチェンジが増えるように運転制御目標値が設定され、その運転制御目標値に応じてＥＣＵ１０から操舵モータ４４に制御信号が出力され、車両のレーンチェンジが頻繁に実行される。Ｓ４４のレーンチェンジ処理を終了したら、Ｓ４６に移行する。
【００７１】
一方、Ｓ４０にて車両が走行する道路に所定以上の長い直線区域がないと判断された場合には、運転者の覚醒レベルが低下しているか否かが判断される（Ｓ４２）。この判断処理は、運転者の脳波、心電図などから覚醒レベルが低下しているか否かを判断する処理である。
【００７２】
Ｓ４２にて運転者の覚醒レベルが低下していると判断された場合には、Ｓ４４に移行し、レーンチェンジ処理が実行される。一方、Ｓ４２にて運転者の覚醒レベルが低下していないと判断された場合には、Ｓ４６に移行する。
【００７３】
Ｓ４６では運転者の睡眠レベルが浅いか否かが判断される。この判断処理は、運転者の脳波、心電図などから睡眠レベルが所定レベルより浅いか否かを判断する処理である。Ｓ４６にて運転者の睡眠レベルが浅いと判断された場合には、強制覚醒処理が行われる（Ｓ４８）。強制覚醒処理は、車両運転制御以外の方法により強制的に運転者を覚醒状態とする処理であり、例えば運転席のシートを振動させたり、運転者の頭部に冷風を吹きかけるなどの処理が行われる。
【００７４】
一方、Ｓ４６にて運転者の睡眠レベルが浅くないと判断された場合には、目標走行軌跡の生成が行われ（Ｓ５０）、その目標走行軌跡に従った自動運転制御が実行される（Ｓ５２）。Ｓ５２の自動運転制御処理を終えたら、覚醒処理の一連の制御処理を終了する。
【００７５】
この覚醒処理によれば、運転者の覚醒が必要となった場合に車両のレーンチェンジが増えるように運転制御を行うことにより、走行行為により運転者の覚醒を促すことができ、違和感を与えることなく目覚めさせることができる。このため、シート振動などの覚醒技術と比べてシームレスな刺激によって快適に目覚めさせることができる。
【００７６】
図５は、本実施形態に係る自動運転車両１における睡眠誘導走行処理のフローチャートである。
【００７７】
この睡眠誘導走行処理は、自動運転制御中であって運転者の睡眠が許容できる状況下で運転者を睡眠へ誘導する処理であり、例えば運転者がスイッチ操作などにより睡眠誘導モードを設定した場合に実行される。
【００７８】
睡眠誘導走行処理は、まず、図５のＳ６０に示すように、運転者の睡眠を許容できるか否かが判断される。例えば、自動運転区間がもうすぐ終わってしまい手動運転に切り替えられる場合には、運転者の睡眠を許容できないと判断される。これに対し、自動運転区間が所定以上長く続く場合には、運転者の睡眠を許容できると判断される。
【００７９】
Ｓ６０にて運転者の睡眠を許容できないと判断された場合には、Ｓ９４に移行する。一方、Ｓ６０にて運転者の睡眠を許容できると判断された場合には、車両が走行する道路に所定以上の長い直線区域があるか否かが判断される（Ｓ６２）。例えば、ＥＣＵ１０に予め記憶される地図情報、自車の位置情報及び走行方向情報に基づいて、自車が走行する前方の道路に所定以上の長い直線区間があるか否かが判断される。
【００８０】
Ｓ６２にて車両が走行する道路に所定以上の長い直線区域があると判断された場合には、レーンチェンジ抑制処理が行われる（Ｓ６４）。レーンチェンジ抑制処理は、車両の車線変更を抑制する処理であり、自動運転制御中において必要最小限のレーンチェンジのみを実行し、できるだけレーンチェンジを実行しないように運転制御目標値が設定される。これにより、車両の車線変更を抑制した走行制御が行われる。
【００８１】
そして、Ｓ６６に移行し、速度変化抑制処理が行われる。速度変化抑制処理は、車両の走行速度の変化を抑制する処理であり、自動運転制御中においてできるだけ車速が変化しないように運転制御目標値が設定される。これにより、車両の車速変化を抑制した走行制御が行われる。Ｓ６６の速度変化抑制処理を終了したら、Ｓ８８に移行する。
【００８２】
一方、Ｓ６２にて車両が走行する道路に所定以上の長い直線区域がないと判断された場合には、現時点における車両に加わる加速度の周波数成分の取得処理が行われる（Ｓ６８）。例えば、車両に搭載される加速度センサの出力についてフーリエ解析などの周波数解析を行うことにより、車両の前後方向、左右方向における加速度の周波数成分の取得が行われる。なお、ここでいう加速度は、マイナスの加速度、すなわち減速度も含むものである。
【００８３】
そして、Ｓ７０に移行し、計画加速度の周波性成分の算出処理が行われる。計画加速度の周波性成分の算出処理は、ＥＣＵ１０に設定される走行目標軌跡などの走行計画から計画加速度の周波数成分を算出する処理である。そして、Ｓ７２に移行し、予想加速度の周波数成分の算出処理が行われる。予想加速度の周波数成分は、Ｓ６８で取得された現時点の加速度周波数成分に対しＳ７０で算出された計画加速度周波数成分を加算することにより算出すればよい。
【００８４】
そして、Ｓ７４に移行し、目標速度調整処理が行われる。目標速度調整処理は、予想加速度周波数成分が１／ｆゆらぎ分布（周波数が高いほど強度が低い分布）となるように車両の目標速度を調整する処理である。例えば、予想加速度周波数成分分布において低周波成分のピークが小さすぎる場合にはゆっくりとした速度変化を増やし、低周波成分のピークが大きすぎる場合にはゆっくりとした速度変化を減らすように、車両の目標速度を調整し、予想加速度周波数成分が１／ｆゆらぎ分布となるように目標速度パターンが修正更新される。
【００８５】
そして、Ｓ７６に移行し、目標横位置調整処理が行われる。目標横位置調整処理は、予想加速度周波数成分が１／ｆゆらぎ分布となるように車両の目標横位置を調整する処理である。例えば、予想加速度周波数成分分布において低周波成分のピークが小さすぎる場合にはゆっくりとした操舵変化を増やし、低周波成分のピークが大きすぎる場合にはゆっくりとした操舵変化を減らすように、車両の目標横位置が調整される。
【００８６】
そして、Ｓ７８に移行し、レーンチェンジ頻度調整処理が行われる。レーンチェンジ頻度調整処理は、予想加速度周波数成分が１／ｆゆらぎ分布となるように車両走行におけるレーンチェンジ頻度を調整する処理である。例えば、予想加速度周波数成分分布において中間周波成分のピークが小さすぎる場合にはレーンチェンジの頻度を増やし、中間周波成分のピークが大きすぎる場合にはレーンチェンジの頻度を減らすように、車両のレーンチェンジ頻度が調整される。
【００８７】
そして、Ｓ８０に移行し、予想加速度周波数成分において高周波成分が不足しているか否かが判断される。このＳ８０にて予想加速度周波数成分において高周波成分が不足していないと判断された場合には、Ｓ８８に移行する。一方、Ｓ８０にて予想加速度周波数成分において高周波成分が不足していると判断された場合には、蛇行走行を回避すべきか否かが判断される（Ｓ８２）。例えば、車両の搭乗者の車酔い特性によって蛇行回避が設定されている場合などには、蛇行走行を回避すべきであると判断される。そのような設定がない場合には、蛇行走行を回避しなくてもよいと判断される。
【００８８】
Ｓ８２にて蛇行走行を回避すべきあると判断された場合には、車両の加減速頻度が増加するように設定される（Ｓ８４）。これにより、予想加速度周波数成分において高周波成分が高められ、予想加速度周波数成分分布を１／ｆゆらぎ分布に近づけることができる。
【００８９】
一方、Ｓ８２にて蛇行走行を回避しなくてもよいと判断された場合には、車両の蛇行走行制御が設定される（Ｓ８６）。これにより、予想加速度周波数成分において高周波成分が高められ、予想加速度周波数成分分布を１／ｆゆらぎ分布に近づけることができる。そして、Ｓ８８に移行する。
【００９０】
Ｓ８８では目標速度パターンの生成処理が行われ、その後、目標走行軌跡の生成処理が行われる（Ｓ９０）。すなわち、Ｓ７４の目標速度調整、Ｓ７６の目標横位置調整、Ｓ７８のレーンチェンジ頻度調整、Ｓ８４の加減速頻度調整及びＳ８６の蛇行走行調整を考慮して、目標速度パターン及び目標走行軌跡の修正更新が行われる。
【００９１】
そして、Ｓ９２に移行し、エアコン温風処理が行われる。エアコン温風処理は、エアコンにより運転者の頭部に温風を吹きかける処理である。これにより、運転者を睡眠状態に誘導することができる。
【００９２】
そして、Ｓ９４に移行し、自動運転制御処理が行われる。自動運転制御処理は、Ｓ８８、Ｓ９０で設定された目標速度パターン及び目標走行軌跡に従って車両の自動運転制御を実行する処理である。Ｓ９４の自動運転制御処理を終えたら、睡眠自動走行制御処理の一連の制御処理を終了する。
【００９３】
この睡眠誘導走行処理によれば、運転者の睡眠が許容される状況下において、運転者を睡眠状態とすることができる。このため、この睡眠により運転者に活力を与えることができ、自動運転から手動運転に切り替わった際に快適な状態で運転操作を行うことができる。
【００９４】
また、睡眠誘導走行処理によれば、車両走行におけるゆらぎ状態が１／ｆゆらぎに近いものとなるため、自動走行を効果的に用い、運転者を睡眠に誘導することができる。
【００９５】
特に、車両の搭乗者の車酔いが検出された場合に有効である。すなわち、車両の搭乗者の車酔いが検出された場合に睡眠誘導走行処理を実行することにより、搭乗者を眠らせて車酔いを解消させることができる。
【００９６】
図６に、本実施形態に係る自動運転車両１における車酔い特性学習処理のフローチャートである。
【００９７】
車酔い特性学習処理は、車両の搭乗者の車酔いを起こしやすい車両運転状態を記録し、搭乗者の車酔い特性を学習する処理である。この処理は、車両の搭乗者が覚醒状態の時に実行される。
【００９８】
この車酔い特性学習処理は、まず、図６のＳ１００に示すように、生体センサ入力値の取得処理が行われる。例えば、搭乗者の心電図、脳波を検出し、生体センサ入力値として記録する。そして、Ｓ１０２に移行し、車酔いスイッチがオンとなったか否かが判断される。車酔いスイッチは、車両に設置されるスイッチであって、例えば運転者などの搭乗者が車酔いを起こした場合にオン操作するスイッチである。
【００９９】
Ｓ１０２にて車酔いスイッチがオンとなったと判断された場合には、自己申告入力値が記録される（Ｓ１０４）。そして、Ｓ１０６に移行する。一方、Ｓ１０２にて車酔いスイッチがオンとなっていないと判断された場合には、車両状態入力値が取得される（Ｓ１０６）。車両状態入力値は、車両の前後加速度、ジャーク、横加速度、ヨーレートなどの車両の挙動状態に関する値である。
【０１００】
そして、Ｓ１０８に移行し、車両状態相関値の算出処理される。車両状態相関値の算出処理は、搭乗者が車酔いを起こした際の車両状態入力値に基づいて車両状態相関値を算出する処理である。車両状態相関値は、車両状態と搭乗者の車酔いの発生との相関値であり、例えば車両状態と搭乗者の車酔いの発生との相関が高いほど大きい値として算出される。このＳ１０８の車両状態相関値の算出処理を終えたら、車酔い特性学習処理の一連の処理を終了する。
【０１０１】
この車酔い特性学習処理によれば、車両状態と搭乗者の車酔いとの相関をとることにより、車酔いを生じさせる車両状態を検出することができ、搭乗者の車酔い特性を学習することができる。
【０１０２】
図７は、本実施形態に係る自動運転車両１における車酔い抑制自動走行処理のフローチャートである。
【０１０３】
車酔い抑制自動走行処理は、自動運転制御中に実行され、車両の搭乗者の車酔いを抑制しながら運転制御する処理である。
【０１０４】
この車酔い抑制自動走行処理は、まず、図７のＳ１２０に示すように、車酔い特性が学習済みであるか否かが判断される。すなわち、図６の車酔い特性学習処理が実行されているか否かが判断される。Ｓ１２０にて車酔い特性が学習済みでないと判断された場合には、事前調査結果に基づいて車両状態相関値が設定される（Ｓ１２２）。その際、事前調査結果がない場合には、車両状態相関値の標準値を設定してもよい。
【０１０５】
一方、Ｓ１２０にて車酔い特性が学習済みであると判断された場合には、その学習結果に基づいて車両状態相関値が設定される（Ｓ１２４）。そして、Ｓ１２６に移行し、搭乗者の睡眠状態に応じて車両状態相関値が補正される。例えば、搭乗者が睡眠状態であるときには、覚醒状態時と比べて車両状態相関値が小さく補正される。また、睡眠レベルが深いほど車両状態相関値が小さくなるように補正される。具体的には、レム睡眠の場合に通常値の０．５倍、睡眠レベル１の場合に通常値の０．４倍、睡眠レベル２の場合に通常値の０．３倍、睡眠レベル３の場合に通常値の０．２倍、睡眠レベル４の場合に通常値の０．１倍とされる。このように車両状態相関値を補正することにより、車酔いしにくい状態の場合には、迅速な車両走行制御を優先した車酔い抑制制御を実行できる。
【０１０６】
そして、Ｓ１２８に移行し、搭乗者の乗車方向に応じて車両状態相関値が補正される。例えば、搭乗者が車両後方側を向いて乗車している場合には、通常乗車時と比べて車両状態相関値が大きく補正される。例えば、後ろ向きに乗車している場合には、車両状態相関値が通常値の２倍とされる。このように車両状態相関値を補正することにより、乗車方向により車酔いしやすい搭乗者の車酔いを抑制することができる。
【０１０７】
そして、Ｓ１３０に移行し、搭乗者の乗車位置に応じて車両状態相関値が補正される。例えば、後部座席の搭乗者に対しては前部座席の搭乗者と比べて車両状態相関値が大きく補正される。具体的には、後部座席の搭乗者に対して前部座席の搭乗者と比べて車両状態相関値が１．５倍とされる。このように車両状態相関値を補正することにより、乗車位置によって前方視界が低く車酔いしやすい搭乗者に対し車酔いを抑制することができる。
【０１０８】
そして、Ｓ１３２に移行し、搭乗者の視線に応じて車両状態相関値が補正される。例えば、遠い地点を見ている搭乗者に対してはそうでない場合と比べて車両状態相関値が小さく補正される。具体的には、視線検知センサにより搭乗者の視線位置を検知し、遠点を見ている場合には、車両状態相関値が０．７倍とされる。このように車両状態相関値を補正することにより、遠い地点を見ており車酔いしにくい状態の場合には、迅速な車両走行制御を優先した車酔い抑制制御を実行することができる。
【０１０９】
そして、Ｓ１３４に移行し、車両の搭乗者のうち最大の車両状態相関値が抽出される。この場合、最大の車両状態相関値は、加速度などの車両状態の各要素ごとに抽出することが好ましい。
【０１１０】
そして、Ｓ１３６に移行し、車両挙動上限値の設定処理が行われる。車両挙動上限値の設定処理は、最大の車両状態相関値に基づいて車両挙動上限値を設定する処理である。この車両挙動上限値を設定することにより、搭乗者の車酔いを起こしにくい状態で自動運転制御を実行することが可能となる。
【０１１１】
そして、Ｓ１３８に移行し、車両挙動上限値を設定する際に横制御要素の設定を行うか否かが判断される。車両挙動上限値を設定する際に横制御要素の設定を行わない場合には、Ｓ１４２に移行する。一方、横加速度、ヨーレートなどの横制御要素の設定を行う場合には、上限速度の設定も併せて行われる（Ｓ１４０）。例えば、横加速度の上限値、ヨーレートの上限値が設定されると共に、道路線形（カーブＲ）に応じて上限速度も併せて設定される。具体的には、次の式（１）、（２）などを用いて上限速度Ｖｍａｘを設定することが好ましい。
【０１１２】
Ｖｍａｘ＝γ・Ｒ  …（１）
【０１１３】
Ｖｍａｘ＝（Ｇｙ・Ｒ）１／２  …（２）
【０１１４】
この式（１）、（２）において、γは車両のヨーレート、Ｒは道路の曲率半径、Ｇｙは車両の横加速度である。
【０１１５】
そして、Ｓ１４２に移行し、車両走行上、レーンチェンジが必須であるか否かが判断される。例えば、車線減少などでレーンチェンジが必須である場合には、レーンチェンジに延期余裕があるか否かが判断される（Ｓ１４８）。レーンチェンジに延期余裕がある場合には、Ｓ１５２に移行する。一方、Ｓ１４８にてレーンチェンジに延期余裕がない場合には、上限速度が低く補正される（Ｓ１５０）。
【０１１６】
Ｓ１４２にてレーンチェンジが必須でないと判断された場合には、横制御における上限値を超過するか否かが判断される（Ｓ１４４）。横制御における上限値を超過しないと判断された場合は、Ｓ１５２に移行する。一方、Ｓ１４４にて横制御における上限値を超過すると判断された場合は、レーンチェンジが延期されるか、上限速度が低く設定される（Ｓ１４６）。
【０１１７】
そして、Ｓ１５２に移行し、目標走行軌跡の生成処理が行われる。そして、Ｓ１５４に移行し、車両に複数の異なる方向の揺れが併発しているか否かが判断される。車両に複数の異なる方向の揺れが併発していないと判断された場合には、Ｓ１５８に移行する。一方、車両に複数の異なる方向の揺れが併発していると判断された場合には、車酔いに悪影響を及ぼさないように、道路のカーブ走行時やレーンチェンジ中に加減速を併発しないように制御される（Ｓ１５６）。
【０１１８】
そして、Ｓ１５８に移行し、目標速度パターンの生成処理が行われる。ここでは、車酔いを抑制した車両状態相関値を考慮して運転制御目標値である目標速度パターンが生成される。そして、Ｓ１６０に移行し、目標速度パターン及び目標走行軌跡に従って自動運転制御処理が行われる。Ｓ１６０の自動運転制御処理を終えたら、車酔い抑制自動走行処理の一連の制御処理を終了する。
【０１１９】
この車酔い抑制自動走行処理によれば、搭乗者の車酔いを低減させる運転制御目標値を設定して運転制御を行うことにより、搭乗者の車酔いを低減させることができる。
【０１２０】
また、予め車酔い状態と車両状態との相関関係、即ち車両状態相関値を学習し、その車両状態相関値に基づいて搭乗者の車酔いを低減させる運転制御目標値を設定して運転制御を行うことにより、搭乗者の車酔いを起こしにくい運転制御が行える。
【０１２１】
以上のように、本実施形態に係る自動運転車両１によれば、車両の搭乗者の体調に応じた運転制御を行うことにより、搭乗者に不快感を与えることなく運転制御が行える。また、搭乗者の覚醒状態、睡眠状態に応じた車両運転が行われることにより、搭乗者に不快感を与えることなく、自動運転のメリットを享受することができる。
【０１２２】
また、搭乗者が睡眠状態である場合に覚醒状態時と比べて車両挙動上限値を高めて運転制御を行うことにより、睡眠状態の搭乗者に不快感を与えることなく、車速を上げて自動運転することができる。
【０１２３】
また、搭乗者が睡眠状態である場合に覚醒状態時と比べて車間距離を短くして運転制御を行うことにより、睡眠によって搭乗者が圧迫感を受けることなく、走行の空気抵抗を小さくして燃費向上を図ることができる。
【０１２４】
また、レム睡眠状態の時に搭乗者の覚醒を促すように運転制御を行うことにより、レム睡眠状態で搭乗者を起こし快適に目覚めさせることができる。このため、自動運転から手動運転に切り替わった際に快適な状態で運転操作することができる。
【０１２５】
また、自動運転継続可能時間がより長くなるように運転制御を行うことにより、自動運転継続可能時間をレム睡眠周期時間以上として、搭乗者をレム睡眠状態で起こし快適に目覚めさせることが可能となる。これにより、自動運転から手動運転に切り替わった際に快適な状態で運転操作することができる。
【０１２６】
また、自動運転継続可能時間がレム睡眠周期時間以上となるように運転制御を行うことにより、搭乗者をレム睡眠状態で起こし快適に目覚めさせることが可能となる。これにより、自動運転から手動運転に切り替わった際に快適な状態で運転操作することができる。
【０１２７】
また、搭乗者の覚醒が必要となった場合に車両のレーンチェンジが増えるように運転制御を行うことにより、走行行為により搭乗者の覚醒を促すことができ、違和感を与えることなく目覚めさせることができる。このため、シート振動などの覚醒技術と比べてシームレスな刺激によって快適に目覚めさせることができる。
【０１２８】
また、本実施形態に係る自動運転車両１によれば、搭乗者の車酔い状態に応じた車両運転が行われることにより、搭乗者の車酔いの低減、防止が行える。その際、搭乗者の車酔いを低減させる運転制御目標値を設定して運転制御を行うことにより、搭乗者の車酔いを低減させることができる。
【０１２９】
また、車酔い状態と車両状態との相関関係を学習し、その相関関係に基づいて搭乗者の車酔いを低減させる運転制御目標値を設定して運転制御を行うことにより、搭乗者の車酔いを起こしにくい運転制御が行える。
【０１３０】
さらに、搭乗者の車酔いが検出された場合に搭乗者の睡眠を促すように運転制御を行うことにより、搭乗者を眠らせて車酔いを解消させることができる。
【０１３１】
なお、上述した実施形態は本発明に係る自動運転車両の一例を示すものである。本発明に係る自動運転車両は、この実施形態に係る自動運転車両に限られるものではなく、各請求項に記載した要旨を変更しない範囲で、実施形態に係る自動運転車両を変形し、又は他のものに適用したものであってもよい。
【図面の簡単な説明】
【０１３２】
【図１】本発明の実施形態に係る自動運転車両の構成概要図である。
【図２】図１の自動運転車両における隊列走行の説明図である。
【図３】図１の自動運転車両における睡眠自動走行制御処理を示すフローチャートである。
【図４】図１の自動運転車両における覚醒処理を示すフローチャートである。
【図５】図１の自動運転車両における睡眠誘導走行処理を示すフローチャートである。
【図６】図１の自動運転車両における車酔い特性学習処理を示すフローチャートである。
【図７】図１の自動運転車両における車酔い抑制自動走行処理を示すフローチャートである。
【符号の説明】
【０１３３】
１…自動運転車両、１０…ＥＣＵ、３０…エンジン、３２…スロットルアクチュエータ、３４…ブレーキ装置、３６…ブレーキアクチュエータ、４０…ＧＰＳ装置、４１…車輪速センサ、４２…路車間通信部、４３…車々間通信部。
【図１】
2008120271.tif 000003
【図２】
2008120271.tif 000004
【図３】
2008120271.tif 000005
【図４】
2008120271.tif 000006
【図５】
2008120271.tif 000007
【図６】
2008120271.tif 000008
【図７】
2008120271.tif 000009